(57)【要約】【課題】  カメラ本体と交換レンズ間に中間アクセサリが装着された場合に誤った補正が行われることを防止する。【解決手段】  個体識別情報を記憶するための記憶手段を有する交換レンズと、該交換レンズを装着可能で該交換レンズの個体識別情報に基づいて各種パラメータを補正する補正手段を有するカメラ本体と、該カメラ本体と交換レンズとの通信手段と、該カメラ本体と交換レンズ間に装着可能な中間アクセサリと、を有するレンズ交換式カメラシステムにおいて、カメラ本体と交換レンズ間に中間アクセサリが装着された場合にはその中間アクセサリの個体識別情報または種類に応じて前記交換レンズの個体識別情報を変更して前期補正手段に伝達する。【選択図】図１
2006171392.tif 000002
【特許請求の範囲】
【請求項１】
個体識別情報を記憶するための記憶手段を有する交換レンズと、該交換レンズを装着可能で該交換レンズの個体識別情報に基づいて各種パラメータを補正する補正手段を有するカメラ本体と、該カメラ本体と交換レンズとの通信手段と、該カメラ本体と交換レンズ間に装着可能な中間アクセサリと、を有するレンズ交換式カメラシステムであって、
前記中間アクセサリが装着された場合に、装着された中間アクセサリの個体識別情報または種類を判別しその判別結果に応じて前記交換レンズの個体識別情報を変更した情報を前記交換レンズ個体識別情報に代えて、または前記判別結果の情報を前記交換レンズ個体識別情報とともに、前記補正手段に伝達する個体識別情報変更手段を有することを特徴とするカメラシステム。
【請求項２】
カメラ本体−レンズ間で通信が可能なように構成され、交換レンズ側に個々の個体を識別するための個体識別情報を記憶するための記憶手段を有し、交換レンズがカメラ本体−レンズ間通信によって前記記憶手段に記憶された個体識別情報をカメラ本体へ送信し、カメラ本体は個体識別情報より交換レンズを識別する識別手段を有し、該識別手段の識別結果により交換レンズの各個体に合わせた各種補正を行うことができるレンズ交換式カメラシステムの交換レンズであって、
カメラ本体と交換レンズ間に装着される中間アクセサリが装着されたことを検出する検出手段と、装着された中間アクセサリの種類を判別する判別手段とを有し、前記検出手段によって中間アクセサリが検出された場合には、レンズが記憶している個体識別情報に前記判別手段による判別結果に応じた変更を加えてカメラ本体へ送信することを特徴とする交換レンズ。
【請求項３】
カメラ本体−レンズ間で通信が可能なように構成され、交換レンズ側に個々の個体を識別するための個体識別情報を記憶するための記憶手段を有し、交換レンズがカメラ本体−レンズ間通信によって前記記憶手段に記憶された個体識別情報をカメラ本体へ送信し、カメラ本体は個体識別情報より交換レンズを識別する識別手段を有し、該識別手段の識別結果により交換レンズの各個体に合わせた各種補正を行うことができるレンズ交換式カメラシステムのカメラ本体であって、
カメラ本体と交換レンズ間に装着される中間アクセサリが装着されたことを検出する検出手段と、装着された中間アクセサリの種類を判別する判別手段とを有し、前記検出手段によって中間アクセサリが検出された場合には、該識別手段の識別結果に前記判別手段による判別結果に応じた変更を加えて各種補正を行うことを特徴とするカメラ本体。
【請求項４】
レンズ交換式カメラシステムの交換レンズとカメラ本体の間に装着される中間アクセサリであって、
個々の個体を識別するための個体識別情報を記憶するための記憶手段と、交換レンズと通信するための通信手段とを有し、該通信手段にて交換レンズと通信を行い、該記憶手段に記憶された個体識別情報を交換レンズに伝達することを特徴とする中間アクセサリ。
【請求項５】
カメラ本体−レンズ間で通信が可能なように構成され、交換レンズ側に個々の個体を識別するための個体識別情報を記憶するための記憶手段を有し、交換レンズがカメラ本体−レンズ間通信によって前記記憶手段に記憶された個体識別情報をカメラ本体へ送信し、カメラ本体は個体識別情報より交換レンズを識別し、該識別結果により交換レンズの各個体に合わせた各種補正を行うことができるレンズ交換式カメラシステムの交換レンズであって、
請求項４記載の中間アクセサリと通信を行うための第二の通信手段と、記憶手段に記憶されている交換レンズの個体識別情報と第二の通信手段による通信にて取得した中間アクセサリの個体識別情報との間で予め決められた演算処理を行う演算手段とを有し、演算手段による演算結果を交換レンズの個体識別情報としてカメラ本体へ送信することを特徴とする交換レンズ。
【請求項６】
カメラ本体−レンズ間で通信が可能なように構成され、交換レンズ側に個々の個体を識別するための個体識別情報を記憶するための記憶手段を有し、交換レンズがカメラ本体−レンズ間通信によって前記記憶手段に記憶された個体識別情報をカメラ本体へ送信し、カメラ本体は個体識別情報より交換レンズを識別し、該識別結果により交換レンズの各個体に合わせた各種補正を行うことができるレンズ交換式カメラシステムの交換レンズであって、
請求項４記載の中間アクセサリと通信を行うための第二の通信手段を有し、記憶手段に記憶されている交換レンズの個体識別情報と、第二の通信手段による通信にて取得した中間アクセサリの個体識別情報とをそれぞれカメラ本体へ送信することを特徴とする交換レンズ。
【請求項７】
請求項６記載の交換レンズと通信を行うための通信手段を有し、該通信手段により取得した交換レンズの個体識別情報と中間アクセサリの個体識別情報により交換レンズと中間アクセサリの各個体の組み合わせに合わせた各種補正を行うことができることを特徴とするレンズ交換式のカメラ本体。
【請求項８】
レンズ交換式カメラシステムの交換レンズとカメラ本体の間に装着される中間アクセサリであって、
個々の個体を識別するための個体識別情報を記憶するための記憶手段と、交換レンズと通信するための通信手段と、該記憶手段に記憶された中間アクセサリの個体識別情報と該通信手段による通信にて取得した交換レンズの個体識別情報との間で予め決められた演算処理を行う演算手段とを有し、演算手段による演算結果を交換レンズに伝達することを特徴とする中間アクセサリ。
【請求項９】
カメラ本体−レンズ間で通信が可能なように構成され、交換レンズ側に個々の個体を識別するための個体識別情報を記憶するための記憶手段を有し、交換レンズがカメラ本体−レンズ間通信によって前記記憶手段に記憶された個体識別情報をカメラ本体へ送信し、カメラ本体は個体識別情報より交換レンズを識別し、該識別結果により交換レンズの各個体に合わせた各種補正を行うことができるレンズ交換式カメラシステムの交換レンズであって、
請求項８記載の中間アクセサリと通信を行うための第二の通信手段と、第二の通信手段による通信にて取得した請求項７記載の中間アクセサリの演算結果を交換レンズの個体識別情報としてカメラ本体へ送信することを特徴とする交換レンズ。
【請求項１０】
レンズ交換式カメラシステムの交換レンズとカメラ本体の間に装着される中間アクセサリであって、
個々の個体を識別するための個体識別情報を記憶するための記憶手段と、カメラと通信するための通信手段とを有し、該通信手段にてカメラ本体と通信を行い、該記憶手段に記憶された個体識別情報をカメラ本体に伝達することを特徴とする中間アクセサリ。
【請求項１１】
個体識別情報を有する交換レンズと通信を行うための第一の通信手段と、請求項１０記載の中間アクセサリと通信を行うための第二の通信手段とを有し、第一の通信手段により取得した交換レンズの個体識別情報より交換レンズを、第二の通信手段により取得した中間アクセサリの個体識別情報より中間アクセサリを識別し、該識別結果により交換レンズと中間アクセサリの各個体の組み合わせに合わせた各種補正を行うことができることを特徴とするレンズ交換式のカメラ本体。
【請求項１２】
レンズ交換式カメラシステムの交換レンズとカメラ本体の間に装着される中間アクセサリであって、
前記交換レンズから前記カメラ本体に向けて送信される該交換レンズの個体識別情報を受信し、その個体識別情報に所定の補正処理を施して補正情報を生成する補正演算手段と、前記補正情報を前記カメラ本体に向けて送信する個体識別情報補正送信手段と、個体識別情報以外の情報をそのまま前記カメラ本体に向けて送信する情報送信手段とを備えたことを特徴とする中間アクセサリ。
【発明の詳細な説明】
【技術分野】
【０００１】
本発明は、カメラ本体と交換レンズとの間に装着される中間アクセサリ、カメラ本体、交換レンズ、およびそれらからなるカメラシステムに関する。
【背景技術】
【０００２】
カメラ−レンズ間（カメラ本体と交換レンズ間）で通信が可能なように構成され、交換レンズ側に個々の個体を識別するための個体識別情報を有し、交換レンズがカメラ−レンズ間通信によって個体識別情報をカメラ本体（以下、単にカメラとも言う）側へ送信し、カメラは個体識別情報より交換レンズを識別する識別手段を有し、該識別手段の識別結果により交換レンズの各個体に合わせた各種補正を行うことができるレンズ交換式カメラシステムが、例えば特許文献１（特開平１０−２０１８１号公報）に提案されている。上記提案では交換レンズの駆動制御パラメータの補正データをレンズ固有の識別データに対応付けて書き込み記憶しておき、装着レンズの識別データから対応する補正データを読み出し補正する方法について記載している。
【特許文献１】特開平１０−２０１８１号公報
【発明の開示】
【発明が解決しようとする課題】
【０００３】
上記提案では、補正するのは交換レンズの駆動制御パラメータであったので、交換レンズとカメラ本体の間に中間アクセサリが装着された場合にも補正値を変更する必要はなかったが、中間アクセサリの装着によって変化してしまうようなパラメータの補正を行う場合、装着時と非装着時で識別データを変更しないと誤った補正を行うことになり不具合が生じてしまう。
本発明の課題は、カメラ本体と交換レンズ間に中間アクセサリが装着された場合に誤った補正が行われることを防止することである。
【課題を解決するための手段】
【０００４】
上記の課題を解決するために、本発明では、カメラ本体と交換レンズ間に中間アクセサリが装着された場合には個体を識別するための情報を変更して上記補正を行うことを特徴とする。
すなわち、本発明のカメラシステムは、個体識別情報を記憶するための記憶手段を有する交換レンズと、該交換レンズを装着可能で該交換レンズの個体識別情報に基づいて各種パラメータを補正する補正手段を有するカメラ本体と、該カメラ本体と交換レンズとの通信手段と、該カメラ本体と交換レンズ間に装着可能な中間アクセサリと、を有するレンズ交換式カメラシステムであって、前記中間アクセサリが装着された場合に、装着された中間アクセサリの個体識別情報または種類を判別しその判別結果に応じて前記交換レンズの個体識別情報を変更した情報を前記交換レンズ個体識別情報に代えて、または前記判別結果の情報を前記交換レンズ個体識別情報とともに前記補正手段に伝達する個体識別情報変更手段を有することを特徴とする。
【０００５】
本発明によれば、前記個体識別情報変更手段は、カメラ本体、交換レンズおよび中間アクセサリのいずれかに設けることができる。
例えば、下記の実施態様１および４は、前記個体識別情報変更手段を交換レンズに設けるもので、カメラ本体は従来のものを用いることができる。
また、実施態様２は、前記個体識別情報変更手段をカメラ本体に設けるもので、交換レンズは従来のものを用いることができる。
実施態様３は、前記個体識別情報変更手段を交換レンズ（実施態様４〜６）に設ける場合の中間アクセサリの構成を示す。
実施態様５は、交換レンズの個体識別情報と実施態様３の中間アクセサリの個体識別情報とを交換レンズからカメラ本体へ送信するようにした場合の交換レンズの構成を示す。実施態様６は、実施態様３の中間アクセサリと実施態様５の交換レンズとを用いる場合のカメラ本体の構成を示す。
実施態様７は、前記個体識別情報変更手段を中間アクセサリに設ける場合の中間アクセサリの構成を示す。この中間アクセサリは実施態様８の交換レンズと組み合わせて用いる。カメラ本体は従来のものを用いることができる。
実施態様９は、前記個体識別情報変更手段を中間アクセサリに設ける場合の中間アクセサリの構成を示す。この中間アクセサリは実施態様１０のカメラ本体と組み合わせて用いる。交換レンズは従来のものを用いることができる。
実施態様９は、前記個体識別情報変更手段を中間アクセサリに設けて、中間アクセサリの個体識別情報と交換レンズの個体識別情報とを中間アクセサリからカメラ本体へ送信するようにしたものである。この中間アクセサリは実施態様１０のカメラ本と組み合わせて用いる。交換レンズは従来のものを用いることができる。
実施態様１１は、前記個体識別情報変更手段を中間アクセサリに設けるとともに、カメラ本体と交換レンズとの個体識別情報以外の情報の通信を中間アクセサリで中継するようにしたものである。カメラ本体および従来のものを用いることができる。
【発明の効果】
【０００６】
本発明におけるカメラ本体、交換レンズ、中間アクセサリは、カメラ本体と交換レンズの間に中間アクセサリが装着された場合には、交換レンズ単体でカメラに装着された場合とは異なる個体識別情報をカメラ側に送信するため、カメラ側で間違った補正を行うことを防止することができる。更に、中間アクセサリにも個体識別情報を待たせるようにした場合には、交換レンズとの組み合わせにおいてより正確な補正が可能となる。
【発明を実施するための最良の形態】
【０００７】
以下、本発明の実施態様を列挙する。
［実施態様１］  カメラ−レンズ間で通信が可能なように構成され、交換レンズ側に個々の個体を識別するための個体識別情報を記憶するための記憶手段を有し、交換レンズがカメラ−レンズ間通信によって上記記憶手段に記憶された個体識別情報をカメラ本体へ送信し、カメラ本体は個体識別情報より交換レンズを識別する識別手段を有し、該識別手段の識別結果により交換レンズの各個体に合わせた各種補正を行うことができるレンズ交換式カメラシステムの交換レンズにおいて、
カメラ本体と交換レンズ間に装着される中間アクセサリが装着されたことを検出する検出手段と、装着された中間アクセサリの種類を判別する判別手段を有し、上記検出手段によって中間アクセサリが検出された場合には、交換レンズの個体識別情報に上記判別手段による判別結果に応じた変更を加えてカメラ本体へ送信することを特徴とする交換レンズ。
【０００８】
［実施態様２］  カメラ−レンズ間で通信が可能なように構成され、交換レンズ側に個々の個体を識別するための個体識別情報を記憶するための記憶手段を有し、交換レンズがカメラ−レンズ間通信によって上記記憶手段に記憶された個体識別情報をカメラ本体へ送信し、カメラ本体は個体識別情報より交換レンズを識別する識別手段を有し、該識別手段の識別結果により交換レンズの各個体に合わせた各種補正を行うことができるレンズ交換式カメラシステムのカメラにおいて、
カメラ本体と交換レンズ間に装着される中間アクセサリが装着されたことを検出する検出手段と、装着された中間アクセサリの種類を判別する判別手段とを有し、上記検出手段によって中間アクセサリが検出された場合には、該識別手段の識別結果に上記判別手段による判別結果に応じた変更を加えて各種補正を行うことを特徴とするカメラ本体。
【０００９】
［実施態様３］  レンズ交換式カメラの交換レンズとカメラ本体の間に装着される中間アクセサリにおいて、個々の個体を識別するための個体識別情報を記憶するための記憶手段と、交換レンズと通信するための通信手段とを有し、該通信手段にて交換レンズと通信を行い、該記憶手段に記憶された個体識別情報を交換レンズに伝達することを特徴とする中間アクセサリ。
【００１０】
［実施態様４］  カメラ−レンズ間で通信が可能なように構成され、交換レンズ側に個々の個体を識別するための個体識別情報を記憶するための記憶手段を有し、交換レンズがカメラ−レンズ間通信によって上記記憶手段に記憶された個体識別情報をカメラ本体へ送信し、カメラ本体は個体識別情報より交換レンズを識別し、該識別結果により交換レンズの各個体に合わせた各種補正を行うことができるレンズ交換式カメラシステムの交換レンズにおいて、
実施態様３記載の中間アクセサリと通信を行うための第二の通信手段と、記憶手段に記憶されている交換レンズの個体識別情報と第二の通信手段による通信にて取得した中間アクセサリの個体識別情報との間で予め決められた演算処理を行う演算手段とを有し、演算手段の結果を交換レンズの個体識別情報としてカメラ本体へ送信することを特徴とする交換レンズ。
【００１１】
［実施態様５］  カメラ−レンズ間で通信が可能なように構成され、交換レンズ側に個々の個体を識別するための個体識別情報を記憶するための記憶手段を有し、交換レンズがカメラ−レンズ間通信によって上記記憶手段に記憶された個体識別情報をカメラ本体へ送信し、カメラは個体識別情報より交換レンズを識別し、該識別結果により交換レンズの各個体に合わせた各種補正を行うことができるレンズ交換式カメラシステムの交換レンズにおいて、
実施態様３記載の中間アクセサリと通信を行うための第二の通信手段を有し、記憶手段に記憶されている交換レンズの個体識別情報と、第二の通信手段による通信にて取得した中間アクセサリの個体識別情報とをそれぞれカメラ側へ送信することを特徴とする交換レンズ。
【００１２】
［実施態様６］  実施態様５記載の交換レンズと通信を行うための通信手段を有し、該通信手段により取得した交換レンズの個体識別情報と中間アクセサリの個体識別情報により交換レンズと中間アクセサリの各個体の組み合わせに合わせた各種補正を行うことができることを特徴とするレンズ交換式のカメラ本体。
【００１３】
［実施態様７］  レンズ交換式カメラの交換レンズとカメラ本体の間に装着される中間アクセサリにおいて、個々の個体を識別するための個体識別情報を記憶するための記憶手段と、交換レンズと通信するための通信手段と、該記憶手段に記憶された中間アクセサリの個体識別情報と該通信手段による通信にて取得した交換レンズの個体識別情報との間で予め決められた演算処理を行う演算手段とを有し、演算手段による演算結果を交換レンズに伝達することを特徴とする中間アクセサリ。
【００１４】
［実施態様８］  カメラ−レンズ間で通信が可能なように構成され、交換レンズ側に個々の個体を識別するための個体識別情報を記憶するための記憶手段を有し、交換レンズがカメラ−レンズ間通信によって上記記憶手段に記憶された個体識別情報をカメラ本体へ送信し、カメラ本体は個体識別情報より交換レンズを識別し、該識別結果により交換レンズの各個体に合わせた各種補正を行うことができるレンズ交換式カメラシステムの交換レンズにおいて、
実施態様７記載の中間アクセサリと通信を行うための第二の通信手段と、第二の通信手段による通信にて取得した実施態様７記載の中間アクセサリの演算結果を交換レンズの個体識別情報としてカメラ本体へ送信することを特徴とする交換レンズ。
【００１５】
［実施態様９］  レンズ交換式カメラの交換レンズとカメラ本体の間に装着される中間アクセサリにおいて、個々の個体を識別するための個体識別情報を記憶するための記憶手段と、カメラ本体と通信するための通信手段を有し、該通信手段にてカメラ本体と通信を行い、該記憶手段に記憶された個体識別情報をカメラ本体に伝達することを特徴とする中間アクセサリ。
【００１６】
［実施態様１０］  個体識別情報を有する交換レンズと通信を行うための第一の通信手段と、実施態様９記載の中間アクセサリと通信を行うための第二の通信手段とを有し、第一の通信手段により取得した交換レンズの個体識別情報より交換レンズを、第二の通信手段により取得した中間アクセサリの個体識別情報より中間アクセサリを識別し、該識別結果により交換レンズと中間アクセサリの各個体の組み合わせに合わせた各種補正を行うことができることを特徴とするレンズ交換式のカメラ本体。
【００１７】
［実施態様１１］  レンズ交換式カメラの交換レンズとカメラ本体の間に装着される中間アクセサリにおいて、上記交換レンズから上記カメラ本体に向けて送信される該交換レンズの個体識別情報を受信し、その個体識別情報に所定の補正処理を施して補正情報を生成する補正演算手段と、上記補正情報を上記カメラ本体に向けて送信する個体識別情報補正送信手段と、個体識別情報以外の情報をそのまま上記カメラ本体に向けて送信する情報送信手段とを備えたことを特徴とする中間アクセサリ。
【実施例】
【００１８】
以下、上述の実施態様を図示の実施例に基づいて詳細に説明する。
［第１の実施例］
先ず、実施態様１記載の交換レンズを含むカメラシステムの実施例について説明する。図１は本実施例に係るカメラシステムのブロック図である。同図において、１００はカメラ本体、４００は交換レンズ、７００は中間アクセサリである。
カメラ本体１００内には、電気回路部１０１があり、この電気回路部１０１は交換レンズを通ってきた光の量を測定するための測光部１０２、フィルム面上から被写体までの距離を測定するための測距部１０３、フィルムを適当な時間露光するためのシャッター１０４、フィルムの巻き上げと巻き戻しを行うための給送チャージ系１０５、これらのカメラ内の制御を行うカメラ本体内ＣＰＵ１０６、レンズとのシリアル通信を行うための通信手段１０７を含む。
また、交換レンズ４００や中間アクセサリ７００と通信を行うために接続される電気接点１０９、１１０、１１１と交換レンズ、中間アクセサリに電源を供給するための電気接点１１２、１１３を有する。
さらに、カメラ本体１００内には本実施例のカメラシステムを動作させる電源１０８も含まれる。
【００１９】
交換レンズ４００において、４０１は交換レンズ４００中のフォーカシングレンズ、４０２はズーミングレンズ、４０３は絞り、４０４はズーミングレンズ４０２の位置を検出するためのズーム位置検出用ブラシ、４０５はフォーカシングレンズ４０１の位置を検出するためのフォーカス位置検出用ブラシ、４０６はオートフォーカスとマニュアルフォーカスを切り替えるＡ／Ｍスイッチ、４０７は交換レンズ４００内の電気回路部である。電気回路部４０７内には、カメラとの間でシリアル通信を行うための通信手段４０９、交換レンズ内の制御を行うレンズ内ＣＰＵ４０８、フォーカシングレンズの駆動制御を行うためのレンズ駆動制御部４１０、フォーカシングレンズを駆動するためのレンズ駆動用モータ４１１、絞りの駆動制御を行うための絞り制御部４１２、絞りを駆動するための絞り駆動用モータ４１３、さらにフォーカシングレンズ４０１の移動に伴ってパルス信号を出力するパルス発生手段４１４が含まれる。また、カメラ１００と通信を行うために接続される電気接点４１５、４１６、４１７と、中間アクセサリとの接続を判断するための電気接点４１８、４１９、４２０とカメラから電源の供給を受けるための電気接点４２１、４２２を有する。
【００２０】
中間アクセサリ７００内には、中間アクセサリの種類を示す情報を出力する信号発生手段７０１、カメラ本体１００と交換レンズ４００の通信線の接続を行う電気接点７０２、７０３、７０４、７０７、７０８、７０９と、交換レンズ４００に中間アクセサリの種類を示す情報を出力するための電気接点７１０、７１１、７１２と、カメラ本体１００の電源を交換レンズ４００へ接続するための電気接点７０５、７０６、７１３、７１４を有する。
【００２１】
続いて図２から図４のフローチャートを用いて本実施例の処理について説明する。
先ず、交換レンズ４００における処理を図２のフローチャートを用いて説明する。
「ｓｔｅｐ１０１」
本実施例における交換レンズ４００の処理をスタートする。
「ｓｔｅｐ１０２」
中間アクセサリ７００が装着されているか否かを判断する。具体的には交換レンズ４００に設置された電気接点４１８、４１９、４２０の状態を検出することで中間アクセサリが装着されているか否かを判断する。装着されていない場合、各接点は何も接続されていないので、接点の状態には何も変化がない。装着されている場合には複数の接点の状態に変化があるので装着されていることを判断することが出来る。装着されていれば「ｓｔｅｐ１０３」へ、いなければ「ｓｔｅｐ１０５」へ進む。
【００２２】
「ｓｔｅｐ１０３」
「ｓｔｅｐ１０２」にて中間アクセサリ７００が装着されていると判断されたので、ここでは中間アクセサリ７００の種類を判別する。具体的には、電気接点４１８、４１９、４２０の状態を検出し、その組み合わせによって中間アダプタの種類を判別する。この実施例では接点が３つの場合の判別方法について述べる。３つの接点の内の１つ４１８を出力でＣＯＭとし、残りの２つの接点を入力で４１９をＥＸＴ０、４２０をＥＸＴ１とする。ＥＸＴ０、ＥＸＴ１は交換レンズ４００内でプルアップ接続されており何も接続されていなければ入力値はＨｉとなる。ＣＯＭ接点はＨｉまたはＬｏｗの出力が可能となっている。中間アクセサリ７００ではＣＯＭに対応する接点７１０とＥＸＴ０、ＥＸＴ１に対応する接点７１１、７１２が内部で短絡或いは開放の状態にされている。中間アクセサリ７００検出時に交換レンズ４００はＣＯＭ接点にＬｏｗを出力すると、中間アクセサリにてＣＯＭと短絡されたＥＸＴ０或いはＥＸＴ１接点はＬｏｗレベルとなり、開放の接点はＨｉが入力される。この組み合わせによって装着された中間アクセサリを判別することが出来る。この方法では、３種類の中間アクセサリを判別することが可能である。システム上、３種類以上の中間アクセサリが存在する場合には、特開２０００−１４７６３８号公報に開示されたような方法で判別が可能となるが、ここでの説明は省略する。
【００２３】
「ｓｔｅｐ１０４」
「ｓｔｅｐ１０３」にて判別された中間アクセサリ７００に応じて、交換レンズ４００内では個体識別情報に修正を加える。例えば、個体識別情報の上位２ｂｉｔを中間アクセサリ７００が装着されていない交換レンズ４００単体の場合は０としておき、中間アクセサリ７００が装着された場合には、上位２ｂｉｔに「ｓｔｅｐ１０３」で取得したＥＸＴ１、ＥＸＴ０の情報を書き込む補正を加える。これにより、単体時と中間アクセサリ装着時を区別できるようになる。
【００２４】
「ｓｔｅｐ１０５」
カメラ本体１００と交換レンズ４００間で個体識別情報の通信を行う。「ｓｔｅｐ１０２」で中間アクセサリ７００が装着されていない場合は、交換レンズ４００単体の個体識別情報を通信し、中間アクセサリ７００が装着されている場合は「ｓｔｅｐ１０４」で演算された補正個体識別情報を通信する。
「ｓｔｅｐ１０６」
以上で、本実施例における交換レンズ４００の処理が終了する。
【００２５】
続いて、カメラ本体１００側の処理について図３および図４のフローチャートを用いて説明する。
先ず、図３を用いて本実施例におけるカメラ本体１００の補正値の記憶動作について説明する。
「ｓｔｅｐ２０１」
本実施例におけるカメラ本体１００の補正値の記憶動作を開始する。
「ｓｔｅｐ２０２」
交換レンズ４００との間で個体識別情報の通信を行う。
【００２６】
「ｓｔｅｐ２０３」
補正量を検出するための動作を行う。例えば本実施例のカメラシステムのＡＦに関する補正値を算出するための動作の場合、カメラ本体１００の持つ測距部１０３を用いてＡＦを行い合焦させ、その後実際の撮像面でのピント位置を検出する。このとき、撮像面でのピントが合焦した位置とＡＦ検出系で合焦と判断した位置とのズレを計測する。
「ｓｔｅｐ２０４」
「ｓｔｅｐ２０３」で計測された補正量を、補正値に変換する演算を行う。例えば、「ｓｔｅｐ２０３」で計測された値が「μｍ」という単位で、補正値としては“１”が「５μｍ」を表す値で表現される場合には、「ｓｔｅｐ２０３」で計測された値を“５”で除算した値を補正値とする。
【００２７】
「ｓｔｅｐ２０５」
「ｓｔｅｐ２０４」で算出された補正値を、「ｓｔｅｐ２０２」で取得した交換レンズ４００の個体識別情報と共に記憶領域に書き込み記憶する。
「ｓｔｅｐ２０６」
本実施例におけるカメラ本体１００の補正値の記憶動作を終了する。
なお、以上の記憶動作はカメラ本体１００に調整モードとして組み込まれていても良いし、工具を使用して行うようにしても良い。
【００２８】
次に、本実施例におけるカメラ本体の補正動作について図４のフローチャートを用いて説明する。
「ｓｔｅｐ３０１」
本実施例におけるカメラ本体１００の補正動作を開始する。
「ｓｔｅｐ３０２」
交換レンズ４００との間で個体識別情報の通信を行う。
「ｓｔｅｐ３０３」
「ｓｔｅｐ３０２」で得た個体識別情報に対応する補正値が記憶されているかどうか判断する。記憶されていれば「ｓｔｅｐ３０４」へ記憶されていなければ「ｓｔｅｐ３０５」へ進む。
【００２９】
「ｓｔｅｐ３０４」
個体識別情報に対応した補正値を記憶しているので、補正値を読み出す。
「ｓｔｅｐ３０５」
補正値を記憶していないので、標準の値であるデフォルトの補正値を読み出す。
【００３０】
「ｓｔｅｐ３０６」
読み出した補正値に応じて補正動作を行う。具体的には、カメラ本体１００の測距部１０３にて検出されたピントのずれ量に、「ｓｔｅｐ３０４」或いは「ｓｔｅｐ３０５」で得られた補正値を加えた値を使って、現在の位置から合焦位置までの交換レンズ４００内のフォーカシングレンズ４０１の駆動量を求め、駆動させる動作を行う。
「ｓｔｅｐ３０７」
本実施例におけるカメラ本体１００の補正動作を終了する。
【００３１】
以上説明したように本実施例による交換レンズでは、中間アクセサリが装着されている場合にカメラへ送信する個体を識別する情報を変更するので、カメラ側は単体時と中間アクセサリ装着時との区別が可能となりそれぞれの場合において適切な補正を行うことが可能となる。
【００３２】
［第２の実施例］
次に、実施態様２記載のカメラ本体の実施例について説明する。
図５は本実施例に係るカメラシステムのブロック図である。同図において、２００はカメラ本体、５００は交換レンズ、８００は中間アクセサリである。
カメラ本体２００内には、電気回路部２０１があり、電気回路部２０１は交換レンズ５００を通ってきた光の量を測定するための測光部２０２、フィルム面上から被写体までの距離を測定するための測距部２０３、フィルムを適当な時間露光するためのシャッター２０４、フィルムの巻き上げと巻き戻しを行うための給送チャージ系２０５、これらのカメラ内の制御を行うカメラ本体内ＣＰＵ２０６、レンズとのシリアル通信を行うための通信手段２０７を含む。また、交換レンズや中間アクセサリと通信を行うために接続される電気接点２０９、２１０、２１１と、中間アクセサリとの接続を判断するための電気接点２１２、２１３、２１４と、交換レンズ、中間アクセサリに電源を供給するための電気接点２１５、２１６を有する。
さらに、カメラ本体１００内には本実施例のカメラシステムを動作させる電源２０８も含まれる。
【００３３】
交換レンズ５００において、５０１は交換レンズ５００中のフォーカシングレンズ、５０２はズーミングレンズ、５０３は絞り、５０４はズーミングレンズ５０２の位置を検出するためのズーム位置検出用ブラシ、５０５はフォーカシングレンズ５０１の位置を検出するためのフォーカス位置検出用ブラシ、５０６はオートフォーカスとマニュアルフォーカスを切り替えるＡ／Ｍスイッチ、５０７は交換レンズ５００内の電気回路部である。電気回路部５０７内には、カメラとの間でシリアル通信を行うための通信手段５０９、交換レンズ内の制御を行うレンズ内ＣＰＵ５０８、フォーカシングレンズの駆動制御を行うためのレンズ駆動制御部５１０、フォーカシングレンズを駆動するためのレンズ駆動用モータ５１１、絞りの駆動制御を行うための絞り制御部５１２、絞りを駆動するための絞り駆動用モータ５１３、更にフォーカシングレンズ５０１の移動に伴ってパルス信号を出力するパルス発生手段５１４が含まれる。また、カメラと通信を行うために接続される電気接点５１５、５１６、５１７と、カメラから電源の供給を受けるための電気接点５１８、５１９を有する。
【００３４】
中間アクセサリ８００内には、中間アクセサリの種類を示す情報を出力する信号発生手段８０１、カメラ本体２００と交換レンズ５００の通信線の接続を行う電気接点８０２、８０３、８０４、８１０、８１１、８１２と、カメラ本体２００に中間アクセサリの種類を示す情報を出力するための電気接点８０５、８０６、８０７と、カメラ本体２００の電源を交換レンズ５００へ接続するための電気接点８０８、８０９、８１３、８１４を有する。
以下、図６のフローチャートを用いて本実施例におけるカメラ本体２００の処理について説明する。
「ｓｔｅｐ４０１」
本実施例のカメラ本体２００における処理をスタートする。
「ｓｔｅｐ４０２」
レンズの個体識別情報を取得する通信を行う。
【００３５】
「ｓｔｅｐ４０３」
中間アクセサリ８００が装着されているか否かを判断する。具体的にはカメラ本体２００に設置された電気接点２１２、２１３、２１４の状態を検出することで中間アクセサリが装着されているか否かを判断する。装着されていない場合、各接点は何も接続されていないので、接点の状態には何も変化がない。装着されている場合には複数の接点の状態に変化があるので装着されていることを判断することが出来る。装着されていれば「ｓｔｅｐ４０４」へ、いなければ「ｓｔｅｐ４０６」へ進む。
【００３６】
「ｓｔｅｐ４０４」
「ｓｔｅｐ４０３」にて中間アクセサリ８００が装着されていると判断されたので、ここでは中間アクセサリ８００の種類を判別する。具体的には、電気接点２１２、２１３、２１４の状態を検出し、その組み合わせによって中間アダプタの種類を判別する。この実施例では接点が３つの場合の判別方法について述べる。３つの接点の内の１つ２１２を出力でＣＯＭとし、残りの２つの接点を入力で２１３をＥＸＴ０、２１４をＥＸＴ１とする。ＥＸＴ０、ＥＸＴ１は交換レンズ５００内でプルアップ接続されており何も接続されていなければ入力値はＨｉとなる。ＣＯＭ接点はＨｉまたはＬｏｗの出力が可能となっている。中間アクセサリではＣＯＭに対応する接点８０５とＥＸＴ０、ＥＸＴ１に対応する接点８０６、８０７が内部で短絡或いは開放の状態にされている。中間アクセサリ検出時に交換レンズはＣＯＭ接点にＬｏｗを出力し、中間アクセサリにてＣＯＭと短絡されたＥＸＴ０或いはＥＸＴ１接点はＬｏｗレベルとなり、開放の接点はＨｉが入力される。この組み合わせによって装着された中間アクセサリを判別することが出来る。この方法では、３種類の中間アクセサリを判別することが可能である。システム上、３種類以上の中間アクセサリが存在する場合には、特開２０００−１４７６３８に開示されたような方法で判別が可能となるが、ここでの説明は省略する。
【００３７】
「ｓｔｅｐ４０５」
「ｓｔｅｐ４０４」にて判別された中間アクセサリ８００に応じて，［ｓｔｅｐ４０２］で取得した交換レンズ５００の個体識別情報に修正を加える。例えば、個体識別情報の上位２ｂｉｔを中間アクセサリ８００が装着されていない交換レンズ５００単体の場合は０としておき、中間アクセサリ８００が装着された場合には、上位２ｂｉｔにＥＸＴ１、ＥＸＴ０の情報を書き込む補正を加える。これにより、単体時と中間アクセサリ装着時を区別できるようになる。
【００３８】
「ｓｔｅｐ４０６」
「ｓｔｅｐ４０５」で得た個体識別情報に対応する補正値が記憶されているかどうか判断する。記憶されていれば「ｓｔｅｐ４０７」へ記憶されていなければ「ｓｔｅｐ４０８」へ進む。
「ｓｔｅｐ４０７」
個体識別情報に対応した補正値を記憶しているので、補正値を読み出す。
【００３９】
「ｓｔｅｐ４０８」
補正値を記憶していないので、標準の値であるデフォルトの補正値を読み出す。
「ｓｔｅｐ４０９」
読み出した補正値に応じて補正動作を行う。具体的には、前に説明した「ｓｔｅｐ３０６」と同じ動作なのでここでの説明は省略する。
「ｓｔｅｐ４１０」
本実施例におけるカメラ本体２００の処理を終了する。
【００４０】
以上説明したように本実施例によるカメラでは、中間アクセサリが装着されている場合に中間アクセサリを判別し、交換レンズ単体時と中間アクセサリ装着時との区別が可能となりそれぞれの場合において適切な補正を行うことが可能となる。
【００４１】
［第３の実施例］
次に実施態様３記載の中間アクセサリ、および実施態様４記載の交換レンズの実施例について説明する。
図７は本実施例に係るカメラシステムのブロック図である。同図において、１００はカメラ本体、６００は交換レンズ、９００は中間アクセサリである。カメラ本体１００は、第１の実施例の図１において説明したものと共通であるのでここでの説明は省略する。
【００４２】
交換レンズ６００において、６０１は交換レンズ６００中のフォーカシングレンズ、６０２はズーミングレンズ、６０３は絞り、６０４はズーミングレンズ６０２の位置を検出するためのズーム位置検出用ブラシ、６０５はフォーカシングレンズ６０１の位置を検出するためのフォーカス位置検出用ブラシ、６０６はオートフォーカスとマニュアルフォーカスを切り替えるＡ／Ｍスイッチ、６０７は交換レンズ６００内の電気回路部である。電気回路部６０７内には、交換レンズ内の制御を行うレンズ内ＣＰＵ６０８、カメラ本体１００との間でシリアル通信を行うための通信手段６０９、中間アクセサリ９００との間でシリアル通信を行うための通信手段６１０、フォーカシングレンズの駆動制御を行うためのレンズ駆動制御部６１１、フォーカシングレンズを駆動するためのレンズ駆動用モータ６１２、絞りの駆動制御を行うための絞り制御部６１３、絞りを駆動するための絞り駆動用モータ６１４、フォーカシングレンズ６０１の移動に伴ってパルス信号を出力するパルス発生手段６１５が含まれる。また、カメラ本体１００と通信を行うために接続される電気接点６１６、６１７、６１８と、中間アクセサリ９００と通信を行うために接続される電気接点６１９、６２０、６２１とカメラ本体１００から電源の供給を受けるための電気接点６２２、６２３を有する。
【００４３】
中間アクセサリ９００内には、中間アクセサリの種類を示す情報や個体識別情報を記憶している記憶手段９０１、交換レンズ６００と通信を行うための通信手段９０２、カメラ本体１００と交換レンズ６００の通信線の接続を行う電気接点９０３、９０４、９０５、９０８、９０９、９１０と、交換レンズ６００と通信するために接続される電気接点９１１、９１２、９１３と、カメラ本体１００の電源を交換レンズ６００へ接続するための電気接点９０６、９０７、９１４、９１５を有する。
【００４４】
以下、図８のフローチャートを用いて本実施例における交換レンズ６００の処理について説明する。
「ｓｔｅｐ５０１」
本実施例における交換レンズ６００の処理を開始する。
「ｓｔｅｐ５０２」
中間アクセサリ９００が装着されているか否かを判断する。具体的には交換レンズ６００に設置された中間アクセサリとの通信を行う通信手段６１０によりシリアル通信を開始し、中間アクセサリ９００からの返信信号を検出することで中間アクセサリ９００が装着されているか否かを判断する。装着されていれば「ｓｔｅｐ５０３」へ、いなければ「ｓｔｅｐ５０７」へ進む。
【００４５】
「ｓｔｅｐ５０３」
カメラ本体１００との通信を禁止するためのＢＵＳＹ信号をカメラ本体１００へ出力し、以下の「ｓｔｅｐ５０４」、「ｓｔｅｐ５０５」で行う処理中にカメラ本体１００からの通信を禁止する。
「ｓｔｅｐ５０４」
中間アクセサリ９００との間で通信を行い、中間アクセサリ９００の個体識別情報を取得する。
【００４６】
「ｓｔｅｐ５０５」
交換レンズ６００の持つ個体識別情報と、「ｓｔｅｐ５０４」で取得した中間アクセサリ９００の個体識別情報を加算し、新たな固体識別情報を作成する。本実施例では加算を行っているが、交換レンズ６００単体時の個体識別情報と中間アクセサリ９００装着時の個体識別情報が区別できるような、他の演算を行ってもよい。
「ｓｔｅｐ５０６」
カメラ本体１００との通信を再開するため、「ｓｔｅｐ５０３」から出力しているＢＵＳＹ信号を解除する。
【００４７】
「ｓｔｅｐ５０７」
カメラ本体１００と通信を行い、カメラに個体識別情報を送信する。ここで送信する個体識別情報は「ｓｔｅｐ５０２」にて中間アクセサリ９００が装着されていないと判断された場合には、交換レンズ６００の個体識別情報そのものを、中間アクセサリ９００が装着されていると判断された場合には「ｓｔｅｐ５０５」にて演算された個体識別情報をカメラに送信する。
「ｓｔｅｐ５０８」
本実施例における交換レンズ６００の処理を終了する。
【００４８】
カメラ本体１００側の処理は第１の実施例で説明した図４のフローチャートに示したものと同じなのでここでの説明は省略する。
以上説明したように本実施例による中間アクセサリと交換レンズでは、交換レンズと中間アクセサリ間で通信を行い、交換レンズ内にてそれぞれの個体識別情報より新たな固体識別情報を算出してカメラ側へ送信するので、カメラ側は単体時と中間アクセサリ装着時との区別が可能となりそれぞれの場合において適切な補正を行うことが可能となる。さらに、中間アクセサリ内にも個体識別情報を持っているので、ある交換レンズに同じ種類の異なる個体の中間アクセサリが装着された場合もそれぞれの組み合わせで異なった個体識別情報を算出するため、より正確な補正が行えるようになる。
【００４９】
［第４の実施例］
次に、実施態様５記載の交換レンズと実施態様６記載のカメラの実施例について説明する。
本実施例の交換レンズおよびカメラを含むカメラシステムを示すブロック図は、図７であり、第３の実施例と共通である。
【００５０】
本実施例における交換レンズ６００の処理について図９のフローチャートを用いて説明する。
「ｓｔｅｐ６０１」
本実施例における交換レンズ６００の処理を開始する。
「ｓｔｅｐ６０２」
中間アクセサリ９００が装着されているか否かを判断する。具体的には交換レンズ６００に設置された中間アクセサリ９００との通信を行う通信手段６１０によりシリアル通信を開始し、中間アクセサリ９００からの返信信号を検出することで中間アクセサリ９００が装着されているか否かを判断する。装着されていれば「ｓｔｅｐ６０３」へ、いなければ「ｓｔｅｐ６０５」へ進む。
【００５１】
「ｓｔｅｐ６０３」
カメラ本体１００との通信を禁止するためのＢＵＳＹ信号をカメラ本体１００へ出力し、以下の「ｓｔｅｐ６０４」で行う処理中にカメラ本体１００からの通信を禁止する。
「ｓｔｅｐ６０４」
中間アクセサリ９００との間で通信を行い、中間アクセサリ９００の個体識別情報を取得する。
【００５２】
「ｓｔｅｐ６０５」
カメラ本体１００との通信を再開するため、「ｓｔｅｐ６０３」から出力しているＢＵＳＹ信号を解除する。
「ｓｔｅｐ６０６」
カメラ本体１００と通信を行い、カメラ本体１００に交換レンズ６００の個体識別情報を送信する。
「ｓｔｅｐ６０７」
再び、中間アクセサリ９００が装着されているか否かを判断する。ここでは、「ｓｔｅｐ６０２」と同じ方法で再判定しても良いし、「ｓｔｅｐ６０２」の結果をそのまま用いても良い。装着されていれば「ｓｔｅｐ６０８」へ、いなければ「ｓｔｅｐ６１０」へ進む。
【００５３】
「ｓｔｅｐ６０８」
カメラ本体１００へ中間アクセサリ９００が装着されていることを知らせるため、中間アクセサリ装着情報を送信する。
「ｓｔｅｐ６０９」
「ｓｔｅｐ６０４」にて取得した中間アクセサリ９００の個体識別情報をカメラ本体１００へ送信する。
「ｓｔｅｐ６１０」
本実施例における交換レンズの処理を終了する。
【００５４】
続いて、実施態様６に記載のカメラ本体１００の処理について図１０のフローチャートを用いて説明する。
「ｓｔｅｐ７０１」
本実施例におけるカメラ本体１００の処理を開始する。
「ｓｔｅｐ７０２」
交換レンズ６００と通信を行い、交換レンズ６００の個体識別情報を取得する。
「ｓｔｅｐ７０３」
「ｓｔｅｐ７０２」で取得した交換レンズ６００の個体識別情報に対応する補正値が記憶されているかどうか判断する。記憶されていれば「ｓｔｅｐ７０４」へ記憶されていなければ「ｓｔｅｐ７０５」へ進む。
【００５５】
「ｓｔｅｐ７０４」
個体識別情報に対応した補正値を記憶しているので、補正値を読み出す。
「ｓｔｅｐ７０５」
補正値を記憶していないので、標準の値であるデフォルトの補正値を読み出す。
「ｓｔｅｐ７０６」
中間アクセサリ９００が装着されているか否かを判断する。具体的には前に説明した「ｓｔｅｐ６０８」にて交換レンズ６００が送信してくる中間アクセサリ装着情報を受信して、該情報より装着されているか否かを判断する。装着されていれば「ｓｔｅｐ７０７」へ、いなければ「ｓｔｅｐ７１２」へ進む。
【００５６】
「ｓｔｅｐ７０７」
交換レンズ６００と通信を行い、中間アクセサリ９００の個体識別情報を取得する。
「ｓｔｅｐ７０８」
「ｓｔｅｐ７０７」で取得した中間アクセサリ９００の個体識別情報に対応する補正値が記憶されているかどうか判断する。記憶されていれば「ｓｔｅｐ７０９」へ記憶されていなければ「ｓｔｅｐ７１０」へ進む。
【００５７】
「ｓｔｅｐ７０９」
個体識別情報に対応した補正値を記憶しているので、補正値を読み出す。
「ｓｔｅｐ７１０」
補正値を記憶していないので、標準の値であるデフォルトの補正値を読み出す。
「ｓｔｅｐ７１１」
「ｓｔｅｐ７０４」或いは「ｓｔｅｐ７０５」で読み出した交換レンズ６００の補正値と、「ｓｔｅｐ７０９」或いは「ｓｔｅｐ７１０」で読み出した中間アクセサリ９００の補正値から最終的な補正値を算出する。
「ｓｔｅｐ７０８」
補正値に応じて補正動作を行う。
「ｓｔｅｐ７０９」
本実施例におけるカメラの処理を終了する。
【００５８】
以上説明したように本実施例によるカメラと交換レンズでは、交換レンズと中間アクセサリ間で通信を行い、交換レンズへ中間アクセサリの個体識別情報を送信し、交換レンズは交換レンズの個体識別情報と中間アクセサリの個体識別情報をそれぞれカメラへ送信するので、カメラ側は単体時と中間アクセサリ装着時との区別が可能となりそれぞれの場合において適切な補正を行うことが可能となる。更に、中間アクセサリ内の個体識別情報をそのままカメラ側へ送信するので、カメラ側では中間アクセサリの各個体に対する補正データを持つことが可能となり、交換レンズの各個体との組み合わせによってより正確な補正が行えるようになる。また、カメラ内に補正データを記憶していない交換レンズの個体と補正データを記憶している中間アクセサリの個体の組み合わせ時には、記憶している中間アクセサリの補正データを使用することにより、標準の補正値を使用した場合よりも正確な補正が可能となる。
【００５９】
［第５の実施例］
次に、実施態様７記載の中間アクセサリと実施態様８記載の交換レンズの実施例について説明する。
本実施例の中間アクセサリおよび交換レンズを含むカメラシステムを示すブロック図は、図７であり、第３および第４の実施例と共通である。
【００６０】
本実施例における交換レンズ６００の処理について図１１のフローチャートを用いて説明する。
「ｓｔｅｐ８０１」
本実施例における交換レンズ６００の処理を開始する。
「ｓｔｅｐ８０２」
中間アクセサリ９００が装着されているか否かを判断する。具体的には交換レンズ６００に設置された中間アクセサリ９００との通信を行う通信手段６１０によりシリアル通信を開始し、中間アクセサリ９００からの返信信号を検出することで中間アクセサリ９００が装着されているか否かを判断する。装着されていれば「ｓｔｅｐ８０３」へ、いなければ「ｓｔｅｐ８０７」へ進む。
【００６１】
「ｓｔｅｐ８０３」
カメラ本体１００との通信を禁止するためのＢＵＳＹ信号をカメラ本体１００へ出力し、以下の「ｓｔｅｐ８０４」、「ｓｔｅｐ８０５」で行う処理中にカメラ本体１００からの通信を禁止する。
「ｓｔｅｐ８０４」
中間アクセサリ９００と通信を行い、交換レンズ６００の記憶している個体識別情報を中間アクセサリ９００へ送信する。
「ｓｔｅｐ８０５」
中間アクセサリ９００と通信を行い、中間アクセサリ９００内で演算された補正個体識別情報を受信する。
【００６２】
「ｓｔｅｐ８０６」
カメラ本体１００との通信を再開するため、「ｓｔｅｐ８０３」から出力しているＢＵＳＹ信号を解除する。
「ｓｔｅｐ８０７」
カメラ本体１００と通信を行い、カメラ本体１００に個体識別情報を送信する。ここで送信する個体識別情報は「ｓｔｅｐ８０２」にて中間アクセサリ９００が装着されていないと判断された場合には、交換レンズ６００の個体識別情報そのものを、中間アクセサリ９００が装着されていると判断された場合には「ｓｔｅｐ８０６」にて取得した補正個体識別情報をカメラに送信する。
「ｓｔｅｐ８０８」
本実施例における交換レンズの処理を終了する。
【００６３】
続いて、図１２のフローチャートを用いて本実施例の中間アクセサリ９００の処理を説明する。
「ｓｔｅｐ９０１」
本実施例における中間アクセサリ９００の処理を開始する。
「ｓｔｅｐ９０２」
交換レンズ６００と通信を行い、交換レンズ６００が記憶している交換レンズ６００の個体識別情報を受信する。
【００６４】
「ｓｔｅｐ９０３」
中間アクセサリ９００の持つ個体識別情報と、「ｓｔｅｐ９０２」で取得した交換レンズ６００の個体識別情報を加算し、新たな固体識別情報を作成する。本実施例では加算を行っているが、交換レンズ６００単体時の個体識別情報と中間アクセサリ９００装着時の個体識別情報が区別できるような、他の演算を行ってもよい。
「ｓｔｅｐ９０４」
「ｓｔｅｐ９０３」で作成した補正個体識別情報を交換レンズ６００に送信する。
「ｓｔｅｐ９０５」
本実施例における中間アクセサリ９００の処理を終了する。
【００６５】
以上説明したように本実施例による中間アクセサリと交換レンズでは、交換レンズと中間アクセサリ間で通信を行い、中間アクセサリ内にてそれぞれの個体識別情報より新たな固体識別情報を算出して交換レンズ側に送信し、交換レンズは中間アクセサリから受信した新たな固体識別情報をカメラ側へ送信するので、カメラ側は単体時と中間アクセサリ装着時との区別が可能となりそれぞれの場合において適切な補正を行うことが可能となる。さらに、中間アクセサリ内にも個体識別情報を持っているので、ある交換レンズに同じ種類の異なる個体の中間アクセサリが装着された場合もそれぞれの組み合わせで異なった個体識別情報を算出するため、より正確な補正が行えるようになる。
【００６６】
［第６の実施例］
次に、実施態様９に記載の中間アクセサリと実施態様１０に記載のカメラを含むカメラシステムの実施例について説明する。図１３は本実施例のブロック図である。同図において、３００はカメラ本体、５００は交換レンズ、１０００は中間アクセサリである。カメラ本体３００内には、電気回路部３０１があり、電気回路部３０１は交換レンズを通ってきた光の量を測定するための測光部３０２、フィルム面上から被写体までの距離を測定するための測距部３０３、フィルムを適当な時間露光するためのシャッター３０４、フィルムの巻き上げと巻き戻しを行うための給送チャージ系３０５、これらのカメラ内の制御を行うカメラ本体内ＣＰＵ３０６、交換レンズ５００とのシリアル通信を行うための通信手段３０７と中間アクセサリ１０００とのシリアル通信を行うための通信手段３０８を含む。
【００６７】
また、交換レンズ５００と通信を行うために接続される電気接点３１０、３１１、３１２と、中間アクセサリ１０００と通信を行うために接続される電気接点３１３、３１４、３１５と、交換レンズ５００、中間アクセサリ１０００に電源を供給するための電気接点３１６、３１７を有する。
さらに、カメラ本体３００内には本実施例のカメラシステムを動作させる電源３０９も含まれる。
交換レンズ５００については、第２の実施例の図５にて説明したものと共通であるのでここでの説明は省略する。
【００６８】
中間アクセサリ１０００内には、中間アクセサリの種類を示す情報や個体識別情報を記憶している記憶手段１００１、カメラ本体３００と通信を行うための通信手段１００２、カメラ本体３００と交換レンズ５００の通信線の接続を行う電気接点１００３、１００４、１００５、１００８、１００９、１０１０と、カメラ本体３００と通信するために接続される電気接点１０１１、１０１２、１０１３と、カメラ本体３００の電源を交換レンズ５００へ接続するための電気接点１００６、１００７、１０１４、１０１５を有する。
【００６９】
続いて図１４のフローチャートを用いて本実施例におけるカメラ本体３００の処理について説明する。
「ｓｔｅｐ１００１」
本実施例におけるカメラ本体３００の処理を開始する。
「ｓｔｅｐ１００２」
交換レンズ５００と通信を行い、交換レンズ５００の個体識別情報を取得する。
【００７０】
「ｓｔｅｐ１００３」
「ｓｔｅｐ１００２」で取得した交換レンズ５００の個体識別情報に対応する補正値が記憶されているかどうか判断する。記憶されていれば「ｓｔｅｐ１００４」へ記憶されていなければ「ｓｔｅｐ１００５」へ進む。
「ｓｔｅｐ１００４」
個体識別情報に対応した補正値を記憶しているので、補正値を読み出す。
「ｓｔｅｐ１００５」
補正値を記憶していないので、標準の値であるデフォルトの補正値を読み出す。
【００７１】
「ｓｔｅｐ１００６」
中間アクセサリ１０００が装着されているか否かを判断する。具体的にはカメラ本体３００に設置された中間アクセサリとの通信を行う通信手段３０８によりシリアル通信を開始し、中間アクセサリ１０００からの返信信号を検出することで中間アクセサリ１０００が装着されているか否かを判断する。装着されていれば「ｓｔｅｐ１００７」へ、いなければ「ｓｔｅｐ１０１２」へ進む。
「ｓｔｅｐ１００７」
カメラ本体３００内の通信手段３０８にて中間アクセサリ１０００と通信を行い、中間アクセサリ１０００の個体識別情報を取得する。
「ｓｔｅｐ７０８」
「ｓｔｅｐ７０７」で取得した中間アクセサリ１０００の個体識別情報に対応する補正値が記憶されているかどうか判断する。記憶されていれば「ｓｔｅｐ１００９」へ記憶されていなければ「ｓｔｅｐ１０１０」へ進む。
【００７２】
「ｓｔｅｐ１００９」
個体識別情報に対応した補正値を記憶しているので、補正値を読み出す。
「ｓｔｅｐ１０１０」
補正値を記憶していないので、標準の値であるデフォルトの補正値を読み出す。
「ｓｔｅｐ１０１１」
「ｓｔｅｐ１００４」或いは「ｓｔｅｐ１００５」で読み出した交換レンズ５００の補正値と、「ｓｔｅｐ１００９」或いは「ｓｔｅｐ１０１０」で読み出した中間アクセサリ１０００の補正値から最終的な補正値を算出する。
「ｓｔｅｐ１０１２」
補正値に応じて補正動作を行う。
「ｓｔｅｐ１０１３」
本実施例におけるカメラの処理を終了する。
【００７３】
以上説明したように本実施例によるカメラと中間アクセサリでは、カメラと中間アクセサリ間で通信を行い中間アクセサリの個体識別情報を取得し、交換レンズは交換レンズの個体識別情報をカメラへ送信するので、カメラ側は単体時と中間アクセサリ装着時との区別が可能となりそれぞれの場合において適切な補正を行うことが可能となる。更に、中間アクセサリ内の個体識別情報をそのままカメラ側へ送信するので、カメラ側では中間アクセサリの各個体に対する補正データを持つことが可能となり、交換レンズの各個体との組み合わせによってより正確な補正が行えるようになる。また、カメラ内に補正データを記憶していない交換レンズの個体と補正データを記憶している中間アクセサリの個体の組み合わせ時には、記憶している中間アクセサリの補正データを使用することにより、標準の補正値を使用した場合よりも正確な補正が可能となる。
【００７４】
［第７の実施例］
次に実施態様１１記載の中間アクセサリを含むカメラシステムの実施例について説明する。図１５は本実施例のブロック図である。同図において、１００はカメラ本体、４００は交換レンズ、１１００は中間アクセサリである。カメラ本体１００と交換レンズ４００については、第１の実施例の図１にて説明したものと共通であるのでここでの説明は省略する。
【００７５】
中間アクセサリ１１００内には、カメラ本体１００と交換レンズ４００の通信線をスイッチングするためのスイッチ手段１１０１、カメラ本体１００や交換レンズ４００との通信等を行うＣＰＵ１１０２、カメラ本体１００と通信を行うために接続される電気接点１１０３、１１０４、１１０５、交換レンズ４００と通信を行うために接続される電気接点１１０８、１１０９、１１１０、交換レンズ４００に中間アクセサリ１１００の種類を示す情報を出力するための電気接点１１１１、１１１２、１１１３、カメラ本体１００の電源を交換レンズ４００へ接続するための電気接点１１０６、１１０７、１１１４、１１１５を有する。
【００７６】
続いて図１６のフローチャートを用いて本実施例における中間アクセサリ１１００の処理について説明する。
「ｓｔｅｐ１１０１」
本実施例における中間アクセサリ１１００の処理を開始する。
「ｓｔｅｐ１１０２」
カメラ本体１００との通信を禁止するためのＢＵＳＹ信号をカメラ本体１００へ出力し、以下の「ｓｔｅｐ１１０３」、「ｓｔｅｐ１１０４」で行う処理中にカメラ本体１００からの通信を禁止する。
【００７７】
「ｓｔｅｐ１１０３」
中間アクセサリ１１００内ＣＰＵ１１０２内の交換レンズ４００との通信を行う通信手段によって交換レンズ４００と通信を行い、交換レンズ４００内に記憶されている交換レンズ４００の個体識別情報を受信する。
「ｓｔｅｐ１１０４」
中間アクセサリ１１００の持つ個体識別情報と、「ｓｔｅｐ１１０３」で取得した交換レンズの個体識別情報を加算し、新たな固体識別情報を作成する。本実施例では加算を行っているが、交換レンズ４００単体時の個体識別情報と中間アクセサリ１１００装着時の個体識別情報が区別できるような、他の演算を行ってもよい。
【００７８】
「ｓｔｅｐ１１０５」
カメラ本体１００との通信を再開するため、「ｓｔｅｐ１１０２」から出力しているＢＵＳＹ信号を解除する。
「ｓｔｅｐ１１０６」
カメラ本体１００と交換レンズ４００間で行われる通信が、個体識別情報を通信するものであるかどうかを判断する。
【００７９】
「ｓｔｅｐ１１０７」
カメラ本体１００と交換レンズ４００間の通信が個体識別情報の通信であった場合なので、スイッチ１１０１をＯＦＦ状態とし、カメラ本体１００と交換レンズ４００の通信を中間アクセサリ１１００のＣＰＵ１１０２を介して行うように設定する。
「ｓｔｅｐ１１０８」
スイッチ１１０１をＯＮ状態とし、カメラ本体１００と交換レンズ４００の通信が直接行われるように設定する。
「ｓｔｅｐ１１０９」
「ｓｔｅｐ１１０４」にて演算した補正個体識別情報をカメラ本体１００へ送信する。
「ｓｔｅｐ１１１０」
本実施例における中間アクセサリ１１００の処理を終了する。
【００８０】
以上説明してきたように本実施例による中間アクセサリでは、カメラと交換レンズ間の通信にて、個体識別情報の通信時に交換レンズの個体識別情報と中間アクセサリの個体識別情報から新たな固体識別情報を算出してカメラ側へ送信するので、カメラ側は単体時と中間アクセサリ装着時との区別が可能となりそれぞれの場合において適切な補正を行うことが可能となる。また、交換レンズとカメラ本体は従来の仕様のままでよく、カメラシステムとしての変更の規模が小さくて済む。
【図面の簡単な説明】
【００８１】
【図１】本発明の第１の実施例に係るカメラシステムのブロック図である。
【図２】図１における交換レンズの処理を説明するフローチャートである。
【図３】図１におけるカメラ本体の処理を説明するフローチャートである。
【図４】図１におけるカメラ本体の処理を説明するフローチャートである。
【図５】本発明の第２の実施例に係るカメラシステムのブロック図である。
【図６】図５におけるカメラ本体の処理を説明するフローチャートである。
【図７】本発明の第３〜第５の実施例に係るカメラシステムのブロック図である。
【図８】本発明の第３の実施例に係る交換レンズの処理を説明するフローチャートである。
【図９】本発明の第４の実施例に係る交換レンズの処理を説明するフローチャートである。
【図１０】本発明の第４の実施例に係るカメラ本体の処理を説明するフローチャートである。
【図１１】本発明の第５の実施例に係る交換レンズの処理を説明するフローチャートである。
【図１２】本発明の第５の実施例に係る中間アクセサリの処理を説明するフローチャートである。
【図１３】本発明の第６の実施例に係るカメラシステムのブロック図である。
【図１４】図１３におけるカメラ本体の処理を説明するフローチャートである。
【図１５】本発明の第７の実施例に係るカメラシステムのブロック図である。
【図１６】図１５における中間アクセサリの処理を説明するフローチャートである。
【符号の説明】
【００８２】
１００、２００、３００：カメラ本体
１０１、２０１、３０１：カメラ本体内電気回路部
１０２、２０２、３０２：測光部
１０３、２０３、３０３：測距部
１０４、２０４、３０４：シャッター
１０５、２０５、３０５：給送チャージ系
１０６、２０６、３０６：カメラ本体内ＣＰＵ
１０７、２０７、３０７、３０８：通信手段
１０８、２０８、３０９：電源
１０９〜１１３、２０９〜２１６、３１０〜３１７：カメラ本体内電気接点
４００、５００、６００：交換レンズ
４０１、５０１、６０１：フォーカシングレンズ     
４０２、５０２、６０２：ズーミングレンズ
４０３、５０３、６０３：絞り
４０４、５０４、６０４：ズーム位置検出用ブラシ
４０５、５０５、６０５：フォーカス位置検出用ブラシ
４０６、５０６、６０６：Ａ／Ｍスイッチ
４０７、５０７、６０７：交換レンズ内電気回路部
４０８、５０８、６０８：レンズ内ＣＰＵ
４０９、５０９、６０９、６１０：通信手段
４１０、５１０、６１１：レンズ駆動制御部
４１１、５１１、６１２：レンズ駆動用モータ
４１２、５１２、６１３：絞り制御部
４１３、５１３、６１３：絞り駆動用モータ
４１４、５１４、６１５：パルス発生手段
４１５〜４２２、５１５〜５１９、６１６〜６２３：交換レンズ内電気接点
７００、８００、９００、１０００、１１００：中間アクセサリ
７０１、８０１：信号発生手段
９０１、１００１：記憶手段
１１０１：スイッチ
１１０２：中間アクセサリ内ＣＰＵ
９０２、１００２：通信手段
７０２〜７１４、８０２〜８１４、９０３〜９１５、１００３〜１０１５、１１０３〜１１１５：中間アクセサリ内電気接点
【図１】
2006171392.tif 000003
【図２】
2006171392.tif 000004
【図３】
2006171392.tif 000005
【図４】
2006171392.tif 000006
【図５】
2006171392.tif 000007
【図６】
2006171392.tif 000008
【図７】
2006171392.tif 000009
【図８】
2006171392.tif 000010
【図９】
2006171392.tif 000011
【図１０】
2006171392.tif 000012
【図１１】
2006171392.tif 000013
【図１２】
2006171392.tif 000014
【図１３】
2006171392.tif 000015
【図１４】
2006171392.tif 000016
【図１５】
2006171392.tif 000017
【図１６】
2006171392.tif 000018